(57)【要約】【課題】  本発明は、洗濯中の洗濯槽の中で、専ら洗濯物の抗菌化を実現するための特殊な構造を持つ洗濯ボールを提供する。【解決手段】  ボール体の外郭面層に多数の小突起柱と貫通した多数の水通流孔を有して、そのボール体の内部空間に、細長扁平銅線カール材を軽く丸くるめて設置してあることを特徴とする抗菌洗濯ボール。【特許請求の範囲】
【請求項１】
内部空間を有し、しなやかに撓む素材で成るボール体と、その内部空間に設置される銅材から成り、洗濯機の中に洗濯物といっしょに入れて使用されるが、
ボール体の外郭球面層全域には満遍なく小間隔で、多数のしなやかな突起柱が数ミリ高さで、ハリネズミの背の様に設けてあり、
各突起柱相互間のスペースには、内〜外へ貫通した多数の小孔、即ち水通流孔が設けてあり、
銅材は、丁度金たわしの様に細長扁平カール線材を、手の平に丸く収まる程度に軽く丸めた形で、ボール体内に設置されて抗菌作用部を成し、
以上の様に構成されたことを特徴とする抗菌洗濯ボール。
【発明の詳細な説明】
【技術分野】
【０００１】  本発明は、洗濯する時に洗濯機に洗濯物と一緒に投入して使用する銅線材入りボールに関する。
【背景技術】
【０００２】  従来、洗濯機の中に洗濯物と一緒に投入して使用される洗濯ボールとしては、洗濯物同士の絡みつきを防止するための「洗濯ボール」（特許文献１参照）とか、からまり防止と共に主に洗濯物の汚れを万遍なく洗浄するための補助具としての「選択ボールの構造」（特許文献２参照）等が知られている。また、焦電性物質を施して、それ自体が洗浄用具となる洗濯用ボールも知られている（特許文献３参照）。
【先行技術文献】
【特許文献】
【０００３】
【特許文献１】実登３０７９４２１号  公報
【特許文献２】実登３１０５６９７号  公報
【特許文献３】特開平１０−１５１４１９号  公報
【発明の概要】
【発明が解決しようとする課題】
【０００４】  特許文献１に示される先行技術は、如何にして洗濯物の絡まり合いを防ぐのかは殆ど明確な説明はないが、閉じられて内空を有するような球体ではなく、花びら状円盤をクロスさせた形で、いわば十字形羽根とぶち当たることによって洗濯物同士の絡まりを防ぐというもののようである。説明の主眼は、トルマリン鉱石や酸化チタン等を材質に含有させて電界作用によって洗浄効果を期待することに在ると理解される。「抗菌」の用語もチラッと登場するが、テストデータ等は全く示されず、付け足し以上の意味はないといえる。
特許文献２に示される先行技術は、球面に幾つものブラシ束を植毛したボール体で、洗濯物同士の間に、この植毛球体をかき分けさせることで洗濯物同士の絡まりを防止すると共に、ブラシ先で衣服生地面を擦って洗浄効果を高めるというものであり、洗濯における「抗菌」については考慮の外に在る。
特許文献３に示される先行技術は、「洗浄用具」とされているが、それが焦電性物質を含有させた素材で成り、それ自体が洗浄効果を持つので、具体的にどんな構造体なのかは問題でなく、事実上そのような素材で成る全ての製品を指すと主張していると解される。
本発明は、洗濯中の洗濯槽の中で、専ら洗濯物の抗菌化を実現するための特殊な構造を持つ洗濯ボールを提供する。
【課題を解決するための手段】
【０００５】  内部空間を有し、しなやかに撓む素材で成るボール体と、その内部空間に設置される銅材から成り、洗濯機の中に洗濯物といっしょに入れて使用される。
ボール体の外郭球面層全域には満遍なく小間隔で、多数のしなやかな突起柱が数ミリ高さで、ハリネズミの背の様に設けてあり、各突起柱相互間のスペースには、内〜外へ貫通した多数の小孔、即ち水通流孔が設けてある。
銅材は、丁度金たわしの様に細長扁平カール線材を、手の平に丸く収まる程度に軽く丸めた形で、ボール体内設置されて抗菌作用部を成す。
洗濯機の中で強く攪拌される洗濯水は、ボール体の外郭球面層全域に設けられた水流通孔のどの孔からも自由に入り、扁平線材のカールされて無秩序に出来た隙間をくぐって自在に抜け出るという無数の反復過程で、次第に抗菌作用を受けた水は、洗濯槽の中で攪拌され、洗濯水全体が自ずと均質化されて、洗濯物全体に抗菌化作用が行き渡る。
以上を特徴とする抗菌洗濯ボールである。
【発明の効果】
【０００６】  洗濯中の洗濯槽の中で強く撹拌される水流と洗濯物に押しもまれながら、抗菌洗濯ボールは、衣服の生地との間に突起柱で柔らかく隙間を作りながら水通流孔が塞がれるのを防ぎ、どの方向からの水流も自由に内部に通し入れ、どの方向にも自在に送り出すことが出来る。通し入れられた水流は、扁平銅線カール材が不規則に交錯して出来た抗菌作用部の無数の隙間を縦横にくぐって通り抜けて行くという過程を、いやというほど反復するので、洗濯水を介して洗濯物全体に銅材のもたらす殺菌・抗菌作用がたっぷり万遍なく行き亘る。
以下にしめすデータがそれを証明している。
分析試験成績結果
一般社団法人  日本食品分析センター・東京都渋谷区元代々木町５２番１号に水質検査  を依頼。
検体名、銅入り前の水の一般細菌数（生菌数）６万１０００個が
検体名、銅入り後の水の一般細菌数（生菌数）６８個に激減した。
【図面の簡単な説明】
【０００７】
【図１】  本発明の外観斜視図
【図２】  本発明において、中心を通る断面で抗菌作用部の様子を分かり易く見せた一部断面斜視図
【発明を実施するための形態】
【０００８】  以下、本発明の実施の形態を説明する。
内部空間を有し、しなやかに撓む素材で成るボール体（１）と、その内部空間に設置される銅材から成り、洗濯機の中に洗濯物といっしょに入れて使用される。
ボール体（１）の外郭球面層（５）全域には満遍なく小間隔で、多数のしなやかな突起柱（２）が数ミリ高さで、ハリネズミの背の様に設けてあり、各突起柱（２）相互間のスペースには、内〜外へ貫通した多数の小孔、即ち水通流孔（３）が設けてある。
銅材は、丁度金たわしの様に細長扁平カール線材を、手の平に丸く収まる程度に軽く丸めた形で、ボール体（１）内に設置されて抗菌作用部（４）を成す。
本発明は、以上の様な構成であり、以下、その具体的な使用方法を説明する。
洗濯槽の中に洗濯物と一緒に抗菌洗濯ボール（Ａ）を投げ込む。洗濯槽が回転すると、強く攪拌される洗濯水は、ボール体（１）の外郭球面層（５）全域に設けられた水流通孔（３）のどの孔からも自由に抗菌作用部（４）に入り、扁平線材のカールされて無秩序に出来た隙間をくぐって自在に出るという無数の反復過程で、次第に抗菌作用を受けた水は、洗濯槽の中で攪拌され、洗濯水全体が自ずと均質化されて、洗濯物全体に抗菌化作用が行き渡る。
この全過程で、強く撹拌される水流と洗濯物に押しもまれながら、抗菌洗濯ボール（Ａ）は、衣服の生地との間に突起柱（２）で柔らかく隙間を作りながら水通流孔（３）が塞がれるのを防ぎ、どの方向からの水流も自由に抗菌作用部（４）内部に通し入れ、どの方向にも自在に送り出すことが出来る。通し入れられた水流は、扁平銅線カール材が不規則に交錯して出来た抗菌作用部（４）の無数の隙間を縦横にくぐって通り抜けて行くという過程を、いやというほど反復するので、洗濯水を介して洗濯物全体に銅材のもたらす殺菌・抗菌作用がたっぷり万遍なく行き亘る。その効果の程度は、［０００６］に示された通りである。
【符号の説明】
【０００９】Ａ  抗菌洗濯ボール，
１  ボール体，    ２  突起柱，    ３  水流通孔，    ４  抗菌作用部，
５  外郭球面層
【図１】
2020069370.tif 000002
【図２】
2020069370.tif 000003